(57)【要約】      （修正有）【課題】デッキ内にデッキ固定用のボルトやカラー、コロ等が配されていても、移動手摺の全長にわたって加温することができ、熱伝達効率の優れた移動手摺の凍結防止機能を備えた乗客コンベアを提供する。【解決手段】乗客コンベアは、利用者を乗せ無端状に連結して走行する踏段と同期して走行する移動手摺１を備えた乗客コンベアにおいて、移動手摺１と接触する案内レール３内部に熱源１０を組み込み、当該熱源１０により移動手摺１を暖めることにより、移動手摺１の凍結を防止する移動手摺の凍結防止機能を備えた。【選択図】図３
2012006729.tif 000002
【特許請求の範囲】
【請求項１】
利用者を乗せ無端状に連結して走行する踏段と同期して走行する移動手摺を備えた乗客コンベアにおいて、移動手摺と接触する案内レール内部に熱源を組み込み、当該熱源により移動手摺を暖めることにより、移動手摺の凍結を防止する移動手摺の凍結防止機能を備えたことを特徴とする乗客コンベア。
【請求項２】
熱源が加熱された電熱線であり、加熱された電熱線により移動手摺を暖めることにより、移動手摺の凍結を防止する移動手摺の凍結防止機能を備えたことを特徴とする請求項１に記載の乗客コンベア。
【請求項３】
熱源が加熱されたコードヒーターであり、加熱されたコードヒーターにより移動手摺を暖めることにより、移動手摺の凍結を防止する移動手摺の凍結防止機能を備えたことを特徴とする請求項１に記載の乗客コンベア。
【請求項４】
熱源が温水管であり、温水管により移動手摺を暖めることにより、移動手摺の凍結を防止する移動手摺の凍結防止機能を備えたことを特徴とする請求項１に記載の乗客コンベア。
【請求項５】
熱源が温風管であり、温風管により移動手摺を暖めることにより、移動手摺の凍結を防止する移動手摺の凍結防止機能を備えたことを特徴とした請求項１に記載の乗客コンベア。
【発明の詳細な説明】
【技術分野】
【０００１】
本発明の実施形態は、乗客コンベアに関する。
【背景技術】
【０００２】
従来、図５に示すように、移動手摺１をガイドする案内レール３内に断熱材４を入れ、その上に電熱線（発熱体）５を組み込み、その発熱の空気伝播により移動手摺１を暖める構造が知られている。図５において、２はデッキボードであり、６はケーブル押さえである。このように移動手摺を暖める理由は、寒冷地に設置されている乗客コンベアが、夜間などの停止時に移動手摺が冷却されて凍結することにより移動手摺を構成するゴム成分が硬化して柔軟性が欠如することにより、乗客コンベアの早朝起動時にスムーズに作動しないというトラブルが発生するおそれがあり、移動手摺の柔軟性を維持し、乗客コンベアの早朝起動時のトラブルを未然に防止するために加温しておく必要があるからである。
【先行技術文献】
【特許文献】
【０００３】
【特許文献１】特開２００４−２６９１４２公報
【発明の概要】
【発明が解決しようとする課題】
【０００４】
しかしながら、通常、デッキ内には、図３に示すようにデッキ固定用のボルト７及びカラー８が設置されていたり、図４に示すように移動手摺１の走行抵抗を減らすためにコロ９が配されている。そのため、従来の図５に示す構造においては、このようなボルト７及びカラー８あるいはコロ９が邪魔になるため、これらの部品が配されていない部分のデッキ内にしか電熱線を通すことができないので、電熱線の配線が断続的かつ部分的にならざるを得ない。したがって、移動手摺が走行中は移動手摺を加温することができるが、夜間などの乗客コンベアの停止中は移動手摺も停止するので、移動手摺の加温ができない箇所が発生する。したがって、前記の加温できない箇所においては移動手摺が凍結し、乗客コンベアの起動時にスムーズに作動しないというトラブルが発生するおそれがあった。また、図５に示すように、従来構造においては、電熱線と移動手摺とが離れており、空気伝播による加温であるため熱伝達効率が悪いものであった。
【０００５】
本発明の実施形態は、デッキ内にデッキ固定用のボルトやカラー、コロ等が配されていても、移動手摺の全長にわたって加温することができ、熱伝達効率の優れた移動手摺の凍結防止機能を備えた乗客コンベアの提供を目的とする。
【課題を解決するための手段】
【０００６】
本発明の実施形態に係る乗客コンベアは、利用者を乗せ無端状に連結して走行する踏段と同期して走行する移動手摺を備えた乗客コンベアにおいて、移動手摺と接触する案内レール内部に熱源を組み込み、当該熱源により移動手摺を暖めることにより、移動手摺の凍結を防止する移動手摺の凍結防止機能を備えたことを特徴とするものである。
【図面の簡単な説明】
【０００７】
【図１】本発明の実施例１のエスカレーターの全体概要を示す図である。
【図２】図１の欄干部分におけるＡ−Ａ端面図である。
【図３】図２の固定用ボルト及びカラーが設置されている部分における一部を省略したＢ部拡大断面図である。
【図４】図２のコロが配設されている部分における一部を省略したＢ部拡大断面図である。
【図５】従来構成の移動手摺を示す部分拡大断面図である。
【発明を実施するための形態】
【０００８】
以下、本発明の実施例に係る乗客コンベアについて、図面を参照して説明する。
【実施例１】
【０００９】
図１〜図４において、１はエスカレータの踏段と同期して走行する移動手摺であり、２はエスカレータの両側に設置される欄干の上端に配され、移動手摺１を支持するデッキボードであり、３は移動手摺１の走行をガイドする案内レールである。７は案内レール３をデッキボードに固定するための固定用ボルトであり、８は案内レールを一定の高さに支持するカラーである。９は移動手摺１の走行抵抗を低減するために配設したコロである。１０は案内レール３の内部に取り付けられた熱源である。当該熱源は、電気を通すことにより加熱される電熱線やコードヒーター、温水を通すことにより加温される温水管、又は温風を通すことにより加温される温風管等により構成される。
【００１０】
前記熱源１０は図３及び図４に示すように、案内レール３が移動手摺１に接触する部分、すなわち本実施例においては移動手摺１の両端湾曲部の内側に位置して移動手摺１を支承するために両側に張り出した案内レール３の鍔部分の内部に配されている。この案内レール３の鍔部分は、移動手摺１の全長にわたって途切れことなく配備されるものである。したがって、熱源１０から発せられる熱は案内レール３の少なくとも鍔部分全体を加熱し、加熱された案内レール３の熱は移動手摺１に伝播されるため、熱源１０の熱が移動手摺１の全長にわたって極めて効率よく伝達される。
【００１１】
図３は、固定ボルト７及びカラー８が配設された箇所における熱源１０の配置状態を示しており、このように本実施例においては固定ボルト７及びカラー８が配設されていても、熱源１０の配設に支障にならないことが明らかである。また、図４は、コロ９が配設された箇所における熱源１０の配置状態を示しており、このように本実施例においてはコロ９が配設されていても、熱源１０の配設に支障にならないことが明らかである。
【００１２】
以上のように、本実施例に係るエスカレーターは、寒冷地に設置される利用者を乗せ無端状に連結して走行する踏段と同期して走行する移動手摺１の凍結を防止するため、従来のように移動手摺をガイドする案内レールの内方下部に設置するのではなく、案内レール３が移動手摺１と接触する部分の内部に電熱線を利用した熱源１０を組み込み、移動手摺１の凍結を防止するものである。また、案内レール３の移動手摺接触部内部に設置される熱源１０としては、電熱線だけでなくコードヒータや温水管、温風管等の多様な熱源を利用することができる。
【００１３】
以上詳述した本発明の実施例によれば、移動手摺１をガイドする案内レール３の移動手摺接触部内部に熱源１０を組み込むことにより、エスカレータの停止時に移動手摺１が暖められることになるので、移動手摺１の凍結防止ができるようになる。したがって、早朝起動時の移動手摺１の凍結による起動不可状態の発生を低減が図れる。
【符号の説明】
【００１４】
１・・・移動手摺
２・・・デッキボード
３・・・案内レール
４・・・断熱材
５・・・電熱線(発熱体)
６・・・ケーブル押さえ
７・・・固定用ボルト
８・・・カラー
９・・・コロ
１０・・・熱源（電熱線、コードヒーター、温水管、温風管等）
【図１】
2012006729.tif 000003
【図２】
2012006729.tif 000004
【図３】
2012006729.tif 000005
【図４】
2012006729.tif 000006
【図５】
2012006729.tif 000007